(57)【要約】【課題】  本発明は、１つの被試験体の一方側と他方側で異なる耐候条件で同時に試験を行うことが出来る耐候試験装置を提供することを可能にすることを目的としている。【解決手段】  建物のコンクリート基礎の被試験体２の耐候試験装置１であって、被試験体２と、該被試験体２に密接された仕切板３とで耐候試験を行う閉塞空間内を外気空間４と内気空間５とに２分割し、該２分割された一方の閉塞空間となる外気空間４には目的の屋外試験項目に対応する外気条件を維持する外気発生手段を配置し、他方の閉塞空間となる内気空間５には目的の屋内試験項目に対応する内気条件を維持する内気発生手段を配置して構成したことを特徴とする。【選択図】      図１
2009069094.tif 000002
【特許請求の範囲】
【請求項１】
コンクリート基礎の被試験体の耐候試験装置であって、
前記被試験体と、該被試験体に密接された仕切板とで耐候試験を行う閉塞空間内を２分割し、
前記２分割された一方の閉塞空間には目的の屋外試験項目に対応する外気条件を維持する外気発生手段を配置し、他方の閉塞空間には目的の屋内試験項目に対応する内気条件を維持する内気発生手段を配置したことを特徴とする耐候試験装置。
【請求項２】
前記屋外試験項目は温度試験、湿度試験、水滴降射試験、塩水降射試験、炭酸ガス曝露試験のうちの少なくとも１つとされ、前記屋内試験項目は温度試験、湿度試験、炭酸ガス曝露試験のうちの少なくとも１つとされ、前記外気発生手段及び前記内気発生手段により前記各試験項目の試験時間及び試験量が調節可能に構成されたことを特徴とする請求項１に記載の耐候試験装置。
【発明の詳細な説明】
【技術分野】
【０００１】
本発明は、建物のコンクリート基礎の被試験体の耐候試験装置に関するものである。
【背景技術】
【０００２】
従来、同一室内で同一条件で各種の耐久試験が行われるのが一般である。例えば、特開２００１−３３０６０２号公報（特許文献１）にはセメント系建材の加齢試験方法として、酸性水を噴霧する酸性水噴霧工程、炭酸ガス雰囲気中に曝露する炭酸ガス雰囲気曝露工程、恒温恒湿雰囲気に保持する恒温恒湿雰囲気曝露工程、試験片の片面を加熱して乾燥させる加熱乾燥工程を順に繰り返すことが記載されている。
【０００３】
また、特開２００１−２６４２３９号公報（特許文献２）には、恒温槽、冷凍装置、ヒータ装置の３つがセットとなって一体に構成される場合に恒温槽の容積の割には装置全体が大型化し多数のサンプルを異なるサイクル条件下及び冷熱雰囲気で試験する場合などでは１つの試験機を用いて順番に行うか或いは同時に行う必要があり、順番待ち時間がかかったり試験機が多数必要になるため複数の恒温槽に供給する熱源を一箇所にしてそれぞれを個別に冷熱切替制御することが記載されている。
【０００４】
【特許文献１】特開２００１−３３０６０２号公報
【特許文献２】特開２００１−２６４２３９号公報
【発明の開示】
【発明が解決しようとする課題】
【０００５】
しかしながら、前述の従来例では、１つの被試験体の一方側と他方側で異なる耐候条件で同時に試験を行うことが出来ないという問題があった。
【０００６】
本発明は前記課題を解決するものであり、その目的とするところは、１つの被試験体の一方側と他方側で異なる耐候条件で同時に試験を行うことが出来る、すなわち屋外側の耐候試験だけでなく、屋内側の環境試験も同時に可能にする耐候試験装置を提供せんとするものである。
【課題を解決するための手段】
【０００７】
前記目的を達成するための本発明に係る耐候試験装置の第１の構成は、コンクリート基礎の被試験体の耐候試験装置であって、前記被試験体と、該被試験体に密接された仕切板とで耐候試験を行う閉塞空間内を２分割し、該２分割された一方の閉塞空間には目的の屋外試験項目に対応する外気条件を維持する外気発生手段を配置し、他方の閉塞空間には目的の屋内試験項目に対応する内気条件を維持する内気発生手段を配置したことを特徴とする。
【０００８】
また、本発明に係る耐候試験装置の第２の構成は、前記第１の構成において、前記屋外試験項目は温度試験、湿度試験、水滴降射試験、塩水降射試験、炭酸ガス曝露試験のうちの少なくとも１つとされ、前記屋内試験項目は温度試験、湿度試験、炭酸ガス曝露試験のうちの少なくとも１つとされ、前記外気発生手段及び前記内気発生手段により前記各試験項目の試験時間及び試験量が調節可能に構成されたことを特徴とする。
【発明の効果】
【０００９】
本発明に係る耐候試験装置の第１の構成によれば、１つの被試験体の一方側と他方側で異なる耐候条件で同時に試験を行うことが出来るため、住宅の外通りコンクリート基礎のように屋外側の外気条件と例えば床下のような屋内側の内気条件とを同一の被試験体で同時に耐候試験を行うことが出来る。
【００１０】
また、本発明に係る耐候試験装置の第２の構成によれば、屋外側試験として温度試験、湿度試験、水滴降射試験、塩水降射試験、炭酸ガス曝露試験のうちの少なくとも１つを実施し、屋内側試験として温度試験、湿度試験、炭酸ガス曝露試験のうちの少なくとも１つを実施すると共に、外気発生手段及び内気発生手段により各試験項目の試験時間及び試験量を調節することで種々の条件設定で、屋外側の外気条件と屋内側の内気条件とを同一の被試験体で同時に耐候試験を行うことが出来る。
【発明を実施するための最良の形態】
【００１１】
図により本発明に係る耐候試験装置の一実施形態を具体的に説明する。図１は本発明に係る耐候試験装置の構成を示す平面図及び側面図、図２は仕切板の構成を示す断面説明図及び正面説明図である。
【００１２】
図１において、１は建物のコンクリート基礎の被試験体２の耐候試験装置である。耐候試験装置１は被試験体２と、該被試験体２に密接された仕切板３とで耐候試験を行う閉塞空間内を外気空間４と内気空間５とに２分割したものである。
【００１３】
仕切板３は図２に示すように、耐候試験装置１の閉塞空間の床と天井との間の高さと、側壁間の幅にそれぞれ対応する方形状で構成され、一度に耐候試験を行う被試験体２の数に対応する数で且つ被試験体２の外形に対応する内形を有する枠体６が設けられており、枠体６内部は外気空間４と内気空間５とに連通する貫通穴とされている。そして、枠体６内に被試験体２を挿通して一端部を外気空間４内に露出させ、他端部を内気空間５内に露出させる。枠体６の内壁面と被試験体２の外表面とは略密接して配置され、仕切板３と協働して外気空間４と内気空間５とを隔離している。
【００１４】
２分割された一方の閉塞空間となる外気空間４には目的の屋外試験項目に対応する外気条件を維持する外気発生手段となるファン、冷凍機、冷却器、空気ヒータ、加湿器、水或いは塩水を噴出する噴（塩）水シャワー、炭酸ガス噴出器等を配置し、他方の閉塞空間となる内気空間５には目的の屋内試験項目に対応する内気条件を維持する内気発生手段となる温調機、調湿器等を配置している。
【００１５】
図１において、７は噴（塩）水シャワー、８は炭酸ガス噴出器、９は炭酸ガスボンベ、10は排気電動弁、11は吸気電動弁、12は加湿器、13は冷凍機をそれぞれ示す。また、15は覗き窓である。本実施形態では、外気空間４及び内気空間５内の温度は冷凍機13、冷却器、空気ヒータによりそれぞれ−５℃〜＋６０℃の範囲で制御され、更に温度が＋２０℃〜＋６０℃の範囲内において加湿器12により湿度が３０％〜９０％の範囲内で制御され、炭酸ガス噴出器８により炭酸ガス（ＣＯ２)濃度の制御範囲は０％〜２０％の範囲で制御される。また、ファン、排気電動弁10、吸気電動弁11により外気空間４及び内気空間５内の気流を水平横方向に制御して曝露状態が均一化される。
【００１６】
外気空間４における屋外試験項目は温度試験、湿度試験、被試験体２に水を噴霧する水滴降射試験、被試験体２に塩水を噴霧する塩水降射試験、被試験体２を炭酸ガス雰囲気中に曝す炭酸ガス曝露試験のうちの少なくとも１つを実施すると共に、内気空間５における屋内試験項目は温度試験、湿度試験、炭酸ガス曝露試験のうちの少なくとも１つを実施する。
【００１７】
各外気発生手段及び内気発生手段は、制御盤14により制御されて各試験項目の試験時間及び試験量が調節可能に構成されている。
【００１８】
尚、耐候試験装置１の閉鎖空間内を２分割する仕切板３は図示しない所定の着脱手段により着脱可能に設けられており、該仕切板３を除去することで、外気空間４と内気空間５とを一つの閉鎖空間として所望の耐候試験を実施することも出来る。
【００１９】
上記構成によれば、１つの被試験体２の一方側と他方側で異なる耐候条件で同時に試験を行うことが出来るため、住宅の外通りコンクリート基礎のように屋外側の外気条件と屋内側の内気条件とを同一の被試験体２で同時に耐候試験を行うことが出来る。
【００２０】
また、屋外側試験として温度試験、湿度試験、水滴降射試験、塩水降射試験、炭酸ガス曝露試験のうちの少なくとも１つを実施し、屋内側試験として温度試験、湿度試験、炭酸ガス曝露試験のうちの少なくとも１つを実施すると共に、外気発生手段及び内気発生手段により各試験項目の試験時間及び試験量を調節することで種々の条件設定で、屋外側の外気条件と屋内側の内気条件とを同一の被試験体２で同時に耐候試験を行うことが出来る。
【産業上の利用可能性】
【００２１】
本発明の活用例として、建物のコンクリート基礎の被試験体の耐候試験装置に適用出来る。
【図面の簡単な説明】
【００２２】
【図１】本発明に係る耐候試験装置の構成を示す平面図及び側面図である。
【図２】仕切板の構成を示す断面説明図及び正面説明図である。
【符号の説明】
【００２３】
１…耐候試験装置
２…被試験体
３…仕切板
４…外気空間
５…内気空間
６…枠体
７…噴水シャワー
８…炭酸ガス噴出器
９…炭酸ガスボンベ
10…排気電動弁
11…吸気電動弁
12…加湿器
13…冷凍機
14…制御盤
15…覗き窓
【図１】
2009069094.tif 000003
【図２】
2009069094.tif 000004